(57)【要約】【課題】ＩＣカードデータ管理センタにおいて確実に請求書元データを生成し、サービス提供者やカードイシュアの課金業務の負担を軽くする。【解決手段】ＩＣカードに関する情報をデータベース化して一元的に管理し、インターネットでアプリケーションを配信する機能を有するＩＣカードデータ管理センタ（３）のバッチサード（１３）により、アプリケーションのダウンロード履歴を課金ログとして利用し、サービス提供者（１）やカードイシュア（２）毎に課金ログの集計処理を行い、サービス提供者やカードイシュアに対して請求書の元データを配信するようにしたものである。【選択図】　　　　図３
2004030241.tif 000002
【特許請求の範囲】
【請求項１】
ＩＣカードに関する情報をデータベース化して一元的に管理し、インターネットでアプリケーションを配信する機能を有するＩＣカードデータ管理センタであって、アプリケーションのダウンロード履歴を課金ログとして利用し、サービス提供者毎に課金ログの集計処理を行うバッチサーバを有し、
該バッチサーバはサービス提供者に対して直接請求書データを発行し、請求書データを受領したサービス提供者は生活者に対して請求書を発行することを特徴とするＩＣカードデータ管理センタによる課金システム。
【請求項２】
ＩＣカードに関する情報をデータベース化して一元的に管理し、インターネットでアプリケーションを配信する機能を有するＩＣカードデータ管理センタであって、アプリケーションのダウンロード履歴を課金ログとして利用し、カードイシュア毎に課金ログの集計処理を行うバッチサーバを有し、
該バッチサーバはカードイシュアに集計結果を通知し、集計結果を受領したカードイシュアは、サービス提供者に代わって生活者に対して請求書を発行し、料金収納代行を行うことを特徴とするＩＣカードデータ管理センタによる課金システム。
【請求項３】
ＩＣカードに関する情報をデータベース化して一元的に管理し、インターネットでアプリケーションを配信する機能を有するＩＣカードデータ管理センタであって、アプリケーションのダウンロード履歴を課金ログとして利用し、カードイシュア毎に領域貸与先であるサービス提供者の課金ログの集計処理を行うバッチサーバを有し、
該バッチサーバはカードイシュアに集計結果を通知し、カードイシュアはサービス提供者に対して領域貸与にかかる利用料金の請求書を発行することを特徴とするＩＣカードデータ管理センタによる課金システム。
【請求項４】
前記バッチサーバによる課金ログの集計処理は、領域貸与カード枚数、領域貸与容量、配信したアプリケーション頻度をベースに行うことを特徴とする請求項３記載の課金システム。
【発明の詳細な説明】
【０００１】
【発明の属する技術分野】
本発明はＩＣカードのデータを一元的に管理するＩＣカードデータ管理センタによるＩＣカードの課金システムに関する。
【０００２】
【従来の技術】
従来、ＲＯＭ（リード・オンリ・メモリ）に制御プログラム、アプリケーションプログラムを格納する単機能ＩＣカードが使用されてきたが、近年、ＥＥＰＲＯＭ等の不揮発性メモリの容量の増加によって、複数のアプリケーションプログラムを不揮発性メモリに格納して多機能化を図ったマルチアプリケーションＩＣカードの実現が可能になっている（例、ＭＵＬＴＯＳ，Ｊａｖａ　Ｃａｒｄ）。
【０００３】
定期券とプリペイドカードとを併用するＩＣカードシステムも既に普及し、また、マルチアプリケーションＩＣカードの余ったメモリエリアを提携会社等に貸与し、各提携会社が個別に発行するカードを１つのＩＣカードに統合できるようにすることや、電子マネー、ポイントカード、チケット、クーポンなどを併用したり、ＩＣカードを携帯電話にセットしてモバイル決済を可能にすることなども考えられている。
【０００４】
【発明が解決しようとする課題】
ところで、マルチアプリケーションＩＣカードの場合、カード単価が上昇するだけでなく、カード発行後のアプリケーションの追加、更新、削除が可能になるため、アプリケーションの提供や貸与メモリ領域についての課金処理が多様化して煩雑になり、サービス提供者、カードイシュアにとって課金業務の負担が増大することが懸念される。
【０００５】
【課題を解決するための手段】
本発明は上記課題を解決しようとするもので、ＩＣカードデータ管理センタのもつ課金ログを所定期間毎に集計処理することにより、データ管理センタにおいて確実に請求書元データを生成し、サービス提供者やカードイシュアの課金業務の負担を軽くすることを目的とする。
そのために本発明は、ＩＣカードに関する情報をデータベース化して一元的に管理し、インターネットでアプリケーションを配信する機能を有するＩＣカードデータ管理センタであって、アプリケーションのダウンロード履歴を課金ログとして利用し、サービス提供者毎に課金ログの集計処理を行うバッチサーバを有し、該バッチサーバはサービス提供者に対して直接請求書データを発行し、請求書データを受領したサービス提供者は生活者に対して請求書を発行することを特徴とする。
また、本発明は、ＩＣカードに関する情報をデータベース化して一元的に管理し、インターネットでアプリケーションを配信する機能を有するＩＣカードデータ管理センタであって、アプリケーションのダウンロード履歴を課金ログとして利用し、カードイシュア毎に課金ログの集計処理を行うバッチサーバを有し、該バッチサーバはカードイシュアに集計結果を通知し、集計結果を受領したカードイシュアは、サービス提供者に代わって生活者に対して請求書を発行し、料金収納代行を行うことを特徴とする。
また、本発明は、ＩＣカードに関する情報をデータベース化して一元的に管理し、インターネットでアプリケーションを配信する機能を有するＩＣカードデータ管理センタであって、アプリケーションのダウンロード履歴を課金ログとして利用し、カードイシュア毎に領域貸与先であるサービス提供者の課金ログの集計処理を行うバッチサーバを有し、該バッチサーバはカードイシュアに集計結果を通知し、カードイシュアはサービス提供者に対して領域貸与にかかる利用料金の請求書を発行することを特徴とする。
また、本発明は、前記バッチサーバによる課金ログの集計処理は、領域貸与カード枚数、領域貸与容量、配信したアプリケーション頻度をベースに行うことを特徴とする。
【０００６】
【発明の実施の形態】
以下、本発明の実施の形態を図面を参照しつつ説明する。
図１は本発明のＩＣカードデータ管理センタシステムを説明する概念図である。カードホルダ１−１〜１−ｎが、クレジット会社等のＩＣカード発行者（イシュア）２−１〜２−ｎに対してカード発行を申し込み、カード発行に必要な個人情報を提供する。イシュアに集められたカード発行に必要な個人情報、別途サービス提供者からイシュアに提供されるアプリケーション等の情報はイシュアからＩＣカードデータ管理センタ３に送られる。ＩＣカードデータ管理センタ３はイシュアから預託された個人情報、アプリケーション等の情報をデータベース化し、イシュアに代わってデータ管理業務を行う。また、アプリケーションが未開発な場合にはこれを開発し、制御情報や顧客データとアプリケーションとの対応づけ、鍵の生成、データの暗号化処理等、必要なデータ処理を行い、ＩＣカード発行データを生成する。
【０００７】
こうしてアプリケーションを含むデータを生成して、ＩＣカードの発行業務を担当するＩＣカード発行センタ４へ送る。ＩＣカード発行センタ４では、データ管理センタから送られたデータを各ＩＣカードに書き込み、カード表面への印字処理等も行って、マルチアプリケーションＩＣカードとして発行し、発送する。再発行依頼があった場合は、データベースから個人情報を取り出してデータをＩＣカード発行センタ４に送り再発行し、データベースの当該カードの情報を更新する。なお、ＩＣカード発行センタ４では大量のＩＣカード発行を行うが、銀行のＡＴＭのようなＩＣカード発行端末５を通して個別にリアルタイムでＩＣカードの発行を行うこともできる。
【０００８】
後日、アプリケーションの追加をしたい場合には、カードホルダから各種端末、パソコン、携帯電話機からインターネット網８を介して情報配信センタ６にアクセスし、「カード会社名」、「ＰＩＮ」、「カード番号」の情報を入力するか、もしくはカードから自動的に取り出して送ることにより、ＩＣカードデータ管理センタ３では、イシュア、サービス提供者、アプリケーションの各データベースを参照してダウンロードが許可できるかどうかを確認し、可能であれば情報配信センタ６を通してＩＣカードへのダウンロードを実行する。誰（カード番号）が、どのアプリケーションのダイナミッグ・ダウンロードを実行したかの履歴が残るので、それをサービス提供者に提供して料金を請求する。
【０００９】
また、サービスセンタ７を通してカード履歴等の照会があると、ＩＣカードデータ管理センタではデータベースを参照し、照会に対する情報提供等のサービスを行う。
【００１０】
図２はＩＣカードデータ管理センタを説明する概念図である。
ＩＣカードデータ管理センタは、サーバ群１０、データベース２０とから構成されるシステムを有している。サーバ群１０はイシュアから預託されるデータの登録や更新を行うと共に、データ管理業務を代行し、鍵の生成や証明書の受取や登録、カード発行データの生成等を行う発行処理サーバ１１、カードホルダからの要求に対してアプリケーションのダイナミックダウンロードを行うＤＤＬサーバ１２、所定期間、例えば月次毎にアプリケーションのダウンロード、更新等の履歴を集計し、集計データをイシュアやサービス提供者に配信し、課金の元データを生成するバッチサーバ１３等を有している。
【００１１】
個人情報データベースは、カードホルダの住所、氏名、年齢、ＰＩＮ、カード有効期限、使用アプリケーション等のＩＣカードに関する情報のデータベースである。
イシュアデータベースは、ＩＣカード発行者に関する一切の情報のデータベースである。
鍵・証明書データベースは、イシュアに関する鍵、カード個別の鍵、イシュアから受け取った鍵証明書、あるいは電子署名等の秘密情報データベースである。
カードプロファイルデータベースは、ＩＣカードのチップの型番、製造メーカ、搭載するＯＳ、メモリ容量等の主にカードのハード構成を規定する情報のデータベースである。
ＡＰ一覧・ＡＰプロファイルデータベースは、データ管理センタが保有するアプリケーションの一覧の情報、各個人のＩＣカードに搭載されたアプリケーションについての過去の履歴、アプリケーションの提供者やバージョンＮｏ、アプリケーションの容量等アプリケーションの内容を示す情報のデータベースである。
【００１２】
ＳＰ（サービス提供者）プロファイルデータベースは、アプリケーションを登録申請するサービス提供者の情報のデータベースである。
課金用ログデータベースは、カードホルダがどのようなアプリケーションを何回ダウンロード、更新したかを示す履歴情報のデータベースである。
カードのライフサイクルデータベースはＩＣカードの履歴情報のデータべースであり、ステイタス情報を有している。ステイタスは
１：初期状態
２：発行済み（利用可能）
３：一時使用不可
４：終了（有効期限切れ）
５：終了（失効）
６：その他（工場生産の工程毎のステイタス等）
からなり、ＩＣカードがどのような状態にあるか把握できる情報である。
【００１３】
アプリケーションのライフサイクルデータベースは、アプリケーションの履歴情報のデータべースであり、ステイタス情報を有している。ステイタスは
１：初期状態
２：アプリケーション搭載済み
３：一時退避中（サーバ等に退避する時）
４：一時使用不可
５：終了（有効期限切れ）
６：終了（失効）
からなり、アプリケーションの状態が把握できる情報である。
【００１４】
バリューデータベースは、ポイントアプリケーション等におけるバーチャルな価値情報であり、該当するアプリケーションを何回使用したかにより価値が加算されるポイントのデータベースである。
引継ぎ情報データベースは、カードを再発行したときに旧カードの番号と、新カードの番号を対応させたもので、再発行を生じさせた事由を含む情報のデータベースである。
【００１５】
ＩＣカードデータ管理センタでは、このようなデータベースを利用してデータ管理業務の代行やカード発行処理を行う。
すなわち、データベースサーバ１１によりイシュアから預託されるデータの登録や更新を行い、データベースに基づいてイシュアに代わってデータ管理を実行するので、イシュアのカード管理業務の負担を無くし、かつ確実にＩＣカードデータの管理を行うことができる。また、鍵の生成や証明書の受取や登録、カード発行データの生成等を行って大量のカード発行処理を行うとともに、カードの紛失などによるカード再発行要求に対してもカードプロファイル、引き継ぎ情報データベース等の更新を行い、カード発行データを生成して的確にカードの再発行処理を実行する。
【００１６】
ＤＤＬサーバ１２はカードホルダからの要求に対して個人情報、イシュア、カードプロファイル等のデータベースを参照してダウンロードが許可できるか否か判定し、許可できる場合には個別にアプリケーションのダイナミックダウンロードサービスを行って個人の利便性を向上させる。
【００１７】
バッチサーバ１３は、例えば月次毎にアプリケーションのダウンロード、更新等の履歴を集計し、課金用ログとして残すとともに、課金の元データを生成して集計データとしてイシュアやサービス提供者に配信し、イシュアやサービス提供者の収納業務の負荷を軽減している。
【００１８】
図３は本発明の課金システムを説明する概念図である。
ＩＣカードデータ管理センタ３のバッチサーバ１４はデータベース２０のサービス提供者プロファイル、アプリケーションプロファイル、課金用ログデータを参照し、所定期間、例えば月次にデータを集計処理し、集計結果をサービス提供者１やカードイシュア２に配信する。この場合、エンドユーザ（生活者）に課金する方法として３つのケースが可能である。
【００１９】
第１のケースはバッチサーバ１３から直接サービス提供者に請求書データを発行するケースである。
バッチサーバ１３でサービス提供者ごとに課金用ログの集計処理を行い、該当するサービス提供者に直接請求書データを発行する。サービス提供者は受け取った集計結果をもとに、エンドユーザである生活者に対してアプリケーションのダイナミックダウンロードに要した費用の請求書を送付する。
【００２０】
第２のケースはカードイシュアがサービス提供者に代わって料金収納を代行するケースである。
バッチサーバ１３でカードイシュア毎に課金用ログの集計処理を行い、該当するカードイシュアに集計結果を通知する。集計結果を受け取ったカードイシュアは、サービス提供者に代わって生活者に対してアプリケーションのダイナミックダウンロードに要した費用の請求書を発行し、例えば、クレジット支払い代金と合わせて生活者の決済口座から決済処理を行う。
【００２１】
第３のケースはカードイシュアがサービス提供者にカードのメモリ領域を貸与したことに対して課金を行うケースである。
バッチサーバ１３によりカードイシュア毎にメモリ領域の貸与先であるサービス提供者の課金用ログの集計処理を行い、カードイシュアに集計結果を通知する。この集計処理は、領域貸与カード枚数、領域貸与容量、配信したアプリケーションの頻度等をベースに行うことにより、カードイシュア、サービス提供者間のあらゆる領域貸与にかかる課金モデルに対応させる。集計結果を受け取ったカードイシュアはサービス提供者に対して、領域貸与にかかる利用料金の請求書を発行する。
【００２２】
【発明の効果】
以上のように本発明によれば、ＩＣカードデータ管理センタにおいて、生活者がアプリケーションをダイナミックダウンロードした際の実行ログを課金ログとして利用してこれを集計処理し、請求書元データを作成してサービス提供者、カードイシュアに配信して請求書を発行するようにしたので、サービテ提供者、カードイシュアの課金業務の負担を軽くすることができ、またイシュアとアプリケーションを提供するサービス提供者間の領域貸与ビジネスの様々な課金体系に対応することが可能である。
【図面の簡単な説明】
【図１】ＩＣカードデータ管理センタシステムを説明する概念図である。
【図２】ＩＣカードデータ管理センタを説明する概念図である。
【図３】本発明の課金システムを説明する概念図である。
【符号の説明】
１…カードホルダ、２…カードイシュア、３…ＩＣカードデータ管理センタ、１３…バッチサーバ、２０…データベース。
【図１】
2004030241.tif 000003
【図２】
2004030241.tif 000004
【図３】
2004030241.tif 000005